【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
物体側より順に、
負の屈折力をもつ第１レンズ群、
正の屈折力をもつ第２レンズ群、
負の屈折力をもつ第３レンズ群を有し、
広角端から望遠端への変倍に際して前記第１レンズ群と前記第２レンズ群との間隔が狭まり、且つ、前記第２レンズ群と前記第３レンズ群との間隔が変化し、
レンズ成分を光軸上にて空気と接する面が物体側面と像側面の２つのみのレンズ体とするとき、
前記第１レンズ群は、物体側から順に、像側に凹面を向けた負レンズと物体側に凸面を向けた正レンズを有する一つの負屈折力をもつレンズ成分からなり、
前記第２レンズ群は、少なくとも１つの負レンズ及び複数の正レンズを有し、それらレンズのうちの少なくとも３つのレンズが隣のレンズに接合し、
前記第２レンズ群中に含まれるレンズ成分の総数が２以下であり、
前記第３レンズ群は２枚以下のレンズで構成された一つのレンズ成分からなることを特徴とする３群ズームレンズ。
【請求項２】
前記第１レンズ群中の前記負レンズ成分は、非球面の接合面を有することを特徴とする請求項１に記載の３群ズームレンズ。
【請求項３】
前記第１レンズ群中の前記負レンズ成分は、球面の接合面を有することを特徴とする請求項１に記載の３群ズームレンズ。
【請求項４】
前記第１レンズ群が以下の条件を満足することを特徴とする請求項１に記載の３群ズームレンズ。
０．０５＜ＤG1／ｆw＜０．８    ・・・（１）
ただし、
ＤG1は前記第１レンズ群の光軸上の厚さ、
ｆwは前記３群ズームレンズの広角端での焦点距離、
である。
【請求項５】
前記第２レンズ群中の最も物体側のレンズ成分が、以下の条件を満足する接合レンズ成分であることを特徴とする請求項１に記載の３群ズームレンズ。
０．５＜ｆG2C1／ｆw＜５．０    ・・・（２）
ただし、
ｆG2C1は前記第２レンズ群中の最も物体側のレンズ成分の焦点距離、
ｆwは前記３群ズームレンズの広角端での焦点距離、
である。
【請求項６】
前記第１レンズ群の前記負レンズが以下の条件を満足することを特徴とする請求項１に記載の３群ズームレンズ。
ｎｄG1L1＞１．７５    ・・・（３）
ただし、
ｎｄG1L1は、前記第１レンズ群の前記負レンズの屈折率、
である。
【請求項７】
前記第１レンズ群の前記負レンズが以下の条件を満足することを特徴とする請求項１に記載の３群ズームレンズ。
νｄG1L1＞６０    ・・・（４）
ただし、
νｄG1L1は、前記第１レンズ群の前記負レンズのアッベ数、
である。
【請求項８】
前記第１レンズ群の前記負レンズが以下の条件を満足する両凹形状であることを特徴とする請求項１に記載の３群ズームレンズ。
−０．９５＜（ｒL11f＋ｒL11r）／（ｒL11f−ｒL11r）＜０．９５    ・・・（５）
ただし、
ｒL11fは前記第１レンズ群中の前記両凹負レンズの物体側面の近軸曲率半径、
ｒL11rは前記第１レンズ群中の前記両凹負レンズの像側面の近軸曲率半径、
である。
【請求項９】
前記第１レンズ群の前記正レンズが以下の条件を満足する形状であることを特徴とする請求項１に記載の３群ズームレンズ。
−４０．０＜（ｒL12f＋ｒL12r）／（ｒL12f−ｒL12r）＜−０．９５    ・・・（６）
ただし、
ｒL12fは前記第１レンズ群中の前記正レンズの物体側面の近軸曲率半径、
ｒL12rは前記第１レンズ群中の前記正レンズの像側面の近軸曲率半径、
である。
【請求項１０】
前記３群ズームレンズのレンズの総数をＮと表すとき、以下の条件式を満足することを特徴とする請求項１に記載の３群ズームレンズ。
６≦Ｎ≦７    ・・・（７）
【請求項１１】
前記第２レンズ群中の最も物体側のレンズ面は非球面であることを特徴とする請求項１に記載の３群ズームレンズ。
【請求項１２】
前記第２レンズ群は、物体側から順に、正レンズ、負レンズ、正レンズを有するレンズ成分を有することを特徴とする請求項１に記載の３群ズームレンズ。
【請求項１３】
前記第２レンズ群は、１つのレンズ成分からなることを特徴とする請求項１２に記載の３群ズームレンズ。
【請求項１４】
前記第２レンズ群は、それぞれが接合面を持つ２つのレンズ成分からなることを特徴とする請求項１に記載の３群ズームレンズ。
【請求項１５】
前記第２レンズ群のそれぞれのレンズ成分がダブレットであることを特徴とする請求項１４に記載のズームレンズ。
【請求項１６】
広角端から望遠端への変倍の際に、前記第２レンズ群が以下の条件を満足して移動することを特徴とする請求項１に記載の３群ズームレンズ。
０．５＜ΔＧ２／ｆw＜３．０    ・・・（８）
ただし、
ΔＧ２は第２レンズ群の広角端での位置に対する望遠端での位置の変化量であり、物体側への変化を正符号とする。
【請求項１７】
物体側より順に、
負の屈折力をもつ第１レンズ群、
正の屈折力をもつ第２レンズ群、
屈折力をもつ第３レンズ群を有し、
前記第３レンズ群が両凸形状であり正の屈折力を有し、
広角端から望遠端への変倍に際して前記第１レンズ群と前記第２レンズ群との間隔が狭まり、且つ、前記第２レンズ群と前記第３レンズ群との間隔が変化し、
レンズ成分を光軸上にて空気と接する面が物体側面と像側面の２つのみのレンズ体とするとき、
前記第１レンズ群は、物体側から順に、像側に凹面を向けた負レンズと物体側に凸面を向けた正レンズを有する一つの負屈折力をもつレンズ成分からなり、
前記第２レンズ群は、少なくとも１つの負レンズ及び複数の正レンズを有し、それらレンズのうちの少なくとも３つのレンズが隣のレンズに接合し、
前記第２レンズ群中に含まれるレンズ成分の総数が２以下であり、
前記第３レンズ群は２枚以下のレンズで構成された一つのレンズ成分からなることを特徴とする３群ズームレンズ。
【請求項１８】
広角端から望遠端への変倍に際して前記第１レンズ群は像側に移動後物体側に移動し、第２レンズ群は物体側にのみ移動し、前記第３レンズ群は物体側にのみ移動することを特徴とする請求項１に記載の３群ズームレンズ。
【請求項１９】
前記第３レンズ群が光軸方向に移動してフォーカシングを行うことを特徴とする請求項１に記載の３群ズームレンズ。
【請求項２０】
３群ズームレンズと、
前記３群ズームレンズの像側に配置され、前記３群ズームレンズにより形成される光学像を電気信号に変換する撮像素子を備える撮像装置であって、
前記３群ズームレンズが請求項１乃至１９の少なくとも何れか一項に記載の３群ズームレンズであることを特徴とする撮像装置。
【請求項２１】
前記３群ズームレンズによるディストーションを含んだ前記電気信号を画像処理により前記ディストーションを補正した画像信号に変換する画像変換部を有することを特徴とする請求項２０に記載の撮像装置。
【手続補正２】
【補正対象書類名】明細書
【補正対象項目名】０００７
【補正方法】変更
【補正の内容】
【０００７】
上述した課題を解決し、目的を達成するために、本発明の３群ズームレンズは、
物体側より順に、
負の屈折力をもつ第１レンズ群、
正の屈折力をもつ第２レンズ群、
負の屈折力をもつ第３レンズ群を有し、
広角端から望遠端への変倍に際して前記第１レンズ群と前記第２レンズ群との間隔が狭まり、且つ、前記第２レンズ群と前記第３レンズ群との間隔が変化する３群ズームレンズを基本構成としている。
【手続補正３】
【補正対象書類名】明細書
【補正対象項目名】００１３
【補正方法】変更
【補正の内容】
【００１３】
そして、第３レンズ群は２枚以下のレンズで構成した１つのレンズ成分で構成する。第２レンズ群に変倍機能を持たせるため、第３レンズ群は上述のように薄型化に有利な簡略な構成にすることが好ましい。
そして、全体として４つ以下のレンズ成分で構成することで、沈胴時の薄型化にも有利となる。
【手続補正４】
【補正対象書類名】明細書
【補正対象項目名】００３４
【補正方法】変更
【補正の内容】
【００３４】
また、第３レンズ群を正の屈折力のレンズ成分で構成する場合、撮像素子へ入射する光線を垂直に近づけやすくなり、シェーディング等の影響を抑えやすくなる。
また、他の側面に従う本発明の３群ズームレンズは、
物体側より順に、
負の屈折力をもつ第１レンズ群、
正の屈折力をもつ第２レンズ群、
屈折力をもつ第３レンズ群を有し、
前記第３レンズ群が両凸形状であり正の屈折力を有し、
広角端から望遠端への変倍に際して前記第１レンズ群と前記第２レンズ群との間隔が狭まり、且つ、前記第２レンズ群と前記第３レンズ群との間隔が変化し、
レンズ成分を光軸上にて空気と接する面が物体側面と像側面の２つのみのレンズ体とするとき、
前記第１レンズ群は、物体側から順に、像側に凹面を向けた負レンズと物体側に凸面を向けた正レンズを有する一つの負屈折力をもつレンズ成分からなり、
前記第２レンズ群は、少なくとも１つの負レンズ及び複数の正レンズを有し、それらレンズのうちの少なくとも３つのレンズが隣のレンズに接合し、
前記第２レンズ群中に含まれるレンズ成分の総数が２以下であり、
前記第３レンズ群は２枚以下のレンズで構成された一つのレンズ成分からなることを特徴とする。
【手続補正５】
【補正対象書類名】明細書
【補正対象項目名】００３５
【補正方法】変更
【補正の内容】
【００３５】
一方、例えば特開平２００６−３５１９７２号に開示されるように、中心から離れるほど光線の斜入射による影響を低減する撮像素子が考えられている。
このような撮像素子に対応して、第３レンズ群を負の屈折力のレンズ成分で構成してもよい、３群ズームレンズのサイズが撮像素子の有効撮像領域に対して小さくでき、小型化に有利となる。
また、広角端から望遠端への変倍に際して前記第１レンズ群は像側に移動後物体側に移動し、第２レンズ群は物体側にのみ移動し、前記第３レンズ群は物体側にのみ移動することが望ましい。